Podtech/llm-jp-corpus-v4-ja_patent huggingface dataset:
(57)【要約】      （修正有）【課題】うつ伏せ寝のときは、へばりつくような違和感が起こり、非常に寝苦しい。また、うつ伏せ寝のときは下向きであるため閉そく感が拭い去れなかった。【解決手段】うつ伏せ寝枕の形状をトルソー（胴体マネキン）形状にして、うつ伏せに寝るときに、胴体はボデイ部で受け、頭はヘッド部で受けることにより、トルソー（胴体マネキン）形状の枕１で癒されるような感覚になることで、うつ伏せ寝時の、へばりつくような違和感と苦しい閉そく感を防止して、安眠を助ける事ができる構造が特徴である。【選択図】図１
0003140254.tif 000002
【実用新案登録請求の範囲】
【請求項１】
［０００１］
うつ伏せに寝るための枕として、トルソー（胴体マネキン）形状の構成からなる、うつ伏せ寝枕。
【考案の詳細な説明】
【技術分野】
【０００１】  本考案は、うつ伏せ寝のための枕構造である
【考案の従来の技術】
【０００２】  従来より提案されているうつ伏せ寝枕構造は各種各様のものがあるが、トルソー（胴体マネキン）形状の枕構造のものは提案されていなかった。
【考案の開示】
【考案が解決しようとする課題】
【０００３】  本考案は、うつ伏せ寝のときの事象、つまり、うつ伏せ寝時には、へばりつくような違和感が起こること、および、うつ伏せ寝のときは閉そく感が強く出ることである。
【課題を解決するための手段】
【０００４】  上述の課題を解決するために、本考案は、うつ伏せ寝枕の形状をトルソー（胴体マネキン）形状（１）にして、うつ伏せに寝るときに、胴体（５）はボデイ部（３）で受け、頭（４）はヘッド部（２）で受けることにより、違和感と閉そく感を防止して、安眠を助ける事ができる構造が特徴である。
【考案の効果】
【０００５】  上述のように本考案による枕構造であれば、うつ伏せ状態で寝たときにも、トルソー（胴体マネキン）形状の枕で癒されるような感覚になることで、うつ伏せ寝時の、へばりつくような違和感も解消でき、うつ伏せ寝時の、閉そく感を防ぐことができるものである。
【考案を実施するための最良の形態】
【０００６】  本考案の、うつ伏せ寝枕を実施するにあたっては、使用者の体形、体格、癖などに合わせた寸法、柔らかさ、弾性を持たせるのが好ましい。【０００７】  本考案の、うつ伏せ寝枕の材質、内容物については、何等限定されるものではないが、ウレタンあるいは発砲スチロール、羽類、植物殻、プラスチック粒、綿で形成することが好ましいものである。【０００８】  また、ヘッド部（２）やボデイ部（３）には、写真および漫画などの描写、または印刷などによって、より満足感や現実感を味わえるようにするのが好ましいものである。
【実施例】
【０００９】  以下、実施例を図に基づいて説明する。
図１においてうつ伏せ寝枕の立体図を示す。
トルソー（胴体マネキン）形状の枕は使用者の体形に合わせた寸法として構成される。【００１０】  図４の通り、うつ伏せに寝る際は胴体（５）はボデイ部（３）で受け、頭（４）はヘッド部（２）に乗せ使用される。
【図面の簡単な説明】
【００１１】
【図１】本考案によるうつ伏せ枕構造の立体図である。
【図２】本考案によるうつ伏せ枕構造の平面図である。
【図３】本考案によるうつ伏せ枕構造の側面断面図である。
【図４】本考案によるうつ伏せ枕構造の使用状態の側面図である。
【符号の説明】
【００１２】（１）トルソー（胴体マネキン）形状の枕
（２）トルソー（胴体マネキン）形状の枕のヘッド部
（３）トルソー（胴体マネキン）形状の枕のボデイ部
（４）人間の頭部
（５）人間の胴体部
【図１】
0003140254.tif 000003
【図２】
0003140254.tif 000004
【図３】
0003140254.tif 000005
【図４】
0003140254.tif 000006
(57)【要約】      （修正有）【課題】炎天下にあっても木陰にいるように涼しく、快適であり、至極軽いので何の抵抗感もなく、長時間使用しても耐えることができて、構造簡単、製造容易安価であるむぎわら帽子を提供する。【解決手段】断熱材即ち波型をした紙の上側、下側、および左右前後に平らな紙を貼り、これを数層重ね合わせ、それぞれの間にアルミ箔を挿入したものを用いる。この素材を用いて丸い山型の帽子の部分と幅広い縁の部分とを作り、表面に紙または布をはって完成する。【選択図】図１
0003140259.tif 000002
【実用新案登録請求の範囲】
【請求項１】
波型をした平らな紙の上側、下側、左右前後に平らな紙を貼りつけたものを数層重ね、それぞれの層と層との間にアルミ箔を挿入したものを素材として帽子の部分及び広い縁の部分とを製作した構造の新型のむぎわら帽子。
【考案の詳細な説明】
【考案の利用分野】
【０００１】    環境、衛生、に関するものである＞
【背景技術】
【０００２】    夏は暑い。殊に炎天下で歩いたり、仕事をする人は特別に暑さを感ずる。そこでこの暑さを少しでも和らげるために日傘をさし又麦わら帽子をかぶる。本考案のものもこの暑さをしのぐものであり、よりその効果のあるものと考えられるのである。
【本案が解決しょうとする課題】
【０００３】    帽子でも日傘でも炎天下では大変重宝するものであるが、緑の木陰に入るとすっかりホットした気分になる。又本当に涼しくなるのである。そこでその木陰と同じ位の効果を期待出来る。吾々の作った断熱材を用いて傘や帽子を作り、その目的を果たそうとするものである。
【課題を解決しょうとする手段】
【０００４】    まず素材を作るのであるが、波型をした平らな紙の上側、下側、左右、前後に平らな紙を貼りつけたものを数層重ね、それぞれの層と層との間にアルミ箔を挿入したものを用い、帽子の丸い山のような部分と幅広いドーナツのような縁の部分とをつくるのである。そしてその表面に紙又は布を貼りつけて完成である。
【実施例】
【０００５】素材として吾々が作った断熱材を用いる。すなわち波型をした平らな紙の上側、下側、左右前後に平らな紙を貼りつけたものを数層重ね、それぞれの層と層との間にアルミ箔を挿入したものを素材として用いるのである。そして円型の帽子の部分と幅広い縁の部分とを作り全体の表面に紙又は布を貼りつけて完成である。
【考案の効果】
【０００６】    本考案による新型の麦わら帽子を用いると炎天下にあっても木陰にいるように涼しく、快適である。
至極軽いので何の抵抗感もなく、長時間使用しても耐えることができる。構造簡単、製造容易安価であるる。
【図面の簡単な説明】
【０００７】
【図１】  斜位図
【図２】  正面図
【図３】  側面図
【図４】  水平面図
【記号の説明】
Ａ．．．．．．．断熱材
Ｂ．．．．．．．頭部
Ｃ．．．．．．．縁の部
【図１】
0003140259.tif 000003
【図２】
0003140259.tif 000004
【図３】
0003140259.tif 000005
【図４】
0003140259.tif 000006
(57)【要約】【課題】  舌苔は、今まで気に成っても取り去る器具が無かった為、歯ブラシで擦る位しか方法がなかった。これでは、十分に除去できない為、飲食物の色や臭いが残り細菌繁殖の温床と成っている。又、見た目にも不潔だし口臭や歯周病の原因に成っていた。【解決手段】  本考案は、舌苔を除去する為、細長い木の葉形の両刃のナイフを作った。ナイフ部は、基部より刃先に向かい弓状の曲線を持たせ舌に馴染み易くした。鏡の前で口を開き舌を出して舌苔取り器で左右に数回こすると舌苔が簡単に取れる訳である。【選択図】図１
0003140267.tif 000002
【実用新案登録請求の範囲】
【請求項１】
長い柄の先に細長い木の葉形の両刃を持った構造の舌苔取り器。
【請求項２】
刃の部分は、基部より刃先に向かい弓状の曲線になった構造の請求項１記載の舌苔取り器。
【考案の詳細な説明】
【技術分野】
【０００１】  舌苔を取る為の器具である。
【背景技術】
【０００２】  弾性の有るプラスチック等の、薄くて細長い板状の物で突き出した舌を擦り舌苔を取るのを見た事がある。又、歯磨きの時歯ブラシで擦るのが一般的な方法であった。
【考案の開示】
【考案が解決しようとする課題】
【０００３】  舌苔は、見た目にも不潔だし、飲食物の色や臭いも残る為、細菌等の繁殖の温床と成っている。又、口臭や歯周病の原因にも成るので健康上からも取り去って爽やかな毎日をおくりたい。
【課題を解決するための手段】
【０００４】  舌苔を簡単に効率よく除去する為、細長い木の葉形の両刃を長い柄の先に付属させた。刃の部分は、基部より刃先に向かい弓状の曲線に成っており、軟らかい舌に馴染み易くさせた。
【考案の効果】
【０００５】  舌を突き出し舌苔取り器で、左右に軽く数回擦るだけで舌苔が簡単に取れる。口臭や歯周病の予防、又は、軽減の効果が期待できる。
【実施例】
【０００６】  鏡の前で口を開いて舌を出し、舌苔取り器で左右に数回、軽く擦るだけで舌苔が簡単にとれる。
【産業上の利用可能性】
【０００７】  今までは、舌苔取り器と言う物は無かったが安価で手軽に使用できる為、口臭予防や口腔衛生上からも広く利用されると思われる。
【図面の簡単な説明】
【０００８】
【図１】Ａ  舌苔取り器Ｙ側面図  Ｂ  舌苔取り器Ｘ側面図  Ｃ  舌苔取り器平面図  Ｄ  ＸＹ断面図
【符号の説明】
【０００９】  １  ナイフ部
２  ナイフ先端部
３  柄
４  通し穴
１ａ  Ｙ側刃
１ｂ  Ｘ側刃
１ｃ  ナイフ部凹面側
１ｄ  ナイフ部凸面側
【図１】
0003140267.tif 000003
(57)【要約】【課題】雨の日に自動車内に持ち込まれる、濡れ傘を手早く収納できて、車内での置き場所の特定が容易で、使用しない時はコンパクトにして整理できる簡単な構造の傘入れを提供する。【解決手段】防水性を有し薄くて柔軟な素材で形成された円錐台状の袋カバー１の大径側に、開口部２を設け、この開口部２に掛け紐４を設け、また袋カバー１の小径側に硬質のプラスチック素材からなる器状の底部ケース７が取り付けられていることを特徴とする自動車用傘入れ。【選択図】図１
0003140262.tif 000002
【実用新案登録請求の範囲】
【請求項１】
防水性を有し薄くて柔軟な素材で形成された円錐台状の袋カバー１の大径側に、開口部２を設け、この開口部２に掛け紐４を設け、また袋カバー１の小径側に硬質のプラスチック素材からなる器状の底部ケース７が取り付けられていることを特徴とする自動車用傘入れ。
【考案の詳細な説明】
【技術分野】
【０００１】本考案は、ファミリーカー等、自動車内で使用する傘入れに関するものである。
【背景技術】
【０００２】従来、雨の日の自動車内での濡れ傘は、その置き場所に困るので、車内の床、座席が水に濡れたり、窓ガラスの曇りの要因になる、また雨が上がった時は、傘入れ自体が邪魔になって、おき場所に苦慮することがあった。（例えば特許文献１参照）
【特許文献１】特開２００２−１６６７８４号公報
【考案の開示】
【考案が解決しようとする課題】
【０００３】本考案は、傘を車内に持ち込む際に、それらを素早く収納でき、収納されたものが、車内での置き場所に困ることがなく、繰り返し使用でき、傘入れとして使用しないときはコンパクトに仕舞える傘入れを提供することを目的とする。
【課題を解決するための手段】
【０００４】本考案は、上述の課題を解決するために、防水性を有し薄くて柔軟な素材で形成された円錐台状の袋カバー１の大径側に、開口部２を設け、この開口部２に掛け紐４を設け、また袋カバー１の小径側に硬質のプラスチック素材からなる器状の底部ケース７が取り付けられていることを特徴とする傘いれ。
【考案の効果】
【０００５】ここで、袋カバー１を防水性を有し薄くて柔軟な素材を採用することにより、任意な形に変形が可能となり、底部ケース７にコンパクトに収めることができる。
【考案を実施するための最良の形態】
【０００６】図１に従って説明する。防水性を有し薄くて柔軟な素材で形成された、円錐台状の袋カバー１の大径側の両サイドに紐通し穴を設け、紐通し穴と穴の間には、浅いクリ５および深いクリ６を設け、長さ調節ストッパー３を備えた、掛け紐４を取り付け開口部２を形成させる。【０００７】袋カバー１の小径側に底部ケース７を溶着などの手段によって結合させ、底部ケースを含む袋カバー１の深さを、ほぼ、汎用傘の骨まで入る長さにして傘入れ全体を形成させる。【０００８】底部ケース７は、器状に形成される。また底部ケース７は、硬質の半透明プラスッチク製で製することにより、雨水を捕捉して、その溜まり具合を外部から確認できるようにする。【０００９】また、溜まった雨水を容易に排水出来るように、ケース側面に、排水口８を設けることもできる。【００１０】また、使用しない時には、袋カバー１と同一の素材による整理袋９に入れてコンパクトに整理する【００１１】上述のようにして形成した傘入れを、図４の実施例のように、車内にセットして使用する。【００１２】本傘入れを、図４の例のように車内にセットしたとき、開口部にクリを設けた事により、濡れ傘の袋カバーへの挿入が素早く行うことが出来るので、車内の床、座席や座席の背面の水濡れ、窓ガラスの曇りを低減させ、また、使用しない時は、底部ケースにコンパクトに収納することができ、車内の何処に置いても違和感がない小物として扱える。【００１３】袋カバー１は、ポリエチレンやナイロンのように防水性に富み、薄くて柔軟な素材が使われる、尚、傘の布地に使用されるものが好適である。【００１４】すなわち、袋カバー１を傘の布地のような素材を使用することにより、濡れ傘との間でベタベタ感を少なくして、傘がスムースに入れられる。【００１５】また、開口部にクリを設けたことで、開口部２が大きく開くと共に、傘を入れる際に、入れる場所の目標が明確になるので、素早く袋カバーの中に入れられる。【００１６】袋カバー、整理袋を色々な色・柄で選択すれば車内での雰囲気を楽しむことができる。【００１７】図５のように傘の収納以外に、レジ袋を掛け紐４に通して、車内にセットしてゴミ入れに利用できる。【００１８】図６のように切り花を入れて持ち運ぶこともできる。
【図面の簡単な説明】
【００１９】
【図１】本考案の傘入れの一例を示す斜視図
【図２】袋カバーを底部ケースに収めた状態を示す斜視図
【図３】図２の底部ケースを整理袋に収めた状態を示す斜視図
【図４】本傘入れを車内にセットした状態を示す斜視図
【図５】本傘入れにゴミ袋をセットした状態を示す斜視図
【図６】本傘入れに切花を入れた状態を示す斜視図
【符号の説明】
【００２０】１  袋カバー
２  開口部
３  調節ストッパー
４  掛け紐
５  浅いクリ
６  深いクリ
７  底部ケース
８  水抜き口
９  整理袋
【図１】
0003140262.tif 000003
【図２】
0003140262.tif 000004
【図３】
0003140262.tif 000005
【図４】
0003140262.tif 000006
【図５】
0003140262.tif 000007
【図６】
0003140262.tif 000008
(57)【要約】【課題】フラッシュメモリ等の扱い上の不便を無くし、更にその用途の拡大にも役立つような使い勝手の良い記憶媒体を提供する。【解決手段】輪郭形状及び寸法をテレホンカードに近似させた薄板体１の表面又は内部に、輪郭形状及び寸法が郵便切手に近似した不揮発性半導体メモリ２を着脱可能状に装着して、本考案の切手型メモリを装着したカード状プレートとする。また薄板体１の適宜な箇所に（その形状を損なわない程度の）無線ＩＣタグ３を装備する。【選択図】図１
0003140265.tif 000002
【実用新案登録請求の範囲】
【請求項１】
輪郭形状及び寸法をテレホンカードに近似させた薄板体の表面又は内部に、輪郭形状及び寸法が郵便切手に近似した不揮発性半導体メモリを着脱可能状に装着して成ることを特徴とする切手型メモリを装着したカード状プレート。
【請求項２】
薄板体が無線ＩＣタグの装備された薄板体である請求項１記載の切手型メモリを装着したカード状プレート。
【考案の詳細な説明】
【技術分野】
【０００１】この考案は、多方面で使い勝手の良い切手型メモリを装着したカード状プレートに関する。
【背景技術】
【０００２】最近、記憶容量においてめざましい進歩を遂げつつあるものに通称ＳＤカードやメモリースティック等で知られる半導体メモリ型の記憶媒体がある。これは一般にフラッシュメモリと呼ばれており、ほぼ切手大の薄い媒体の中にギガバイトクラスの情報を収めることができるから、既に携帯電話機やデジカメないし携帯ムービーその他において広汎に使用されつつある。またマスクＲＯＭとしてコンテンツ化商品にすることも可能となっている。
【考案の開示】
【考案が解決しようとする課題】
【０００３】このような切手型の半導体メモリは甚だ小型で可動部分が無く記憶容量も大きくなってきたから、特にモバイル系の機器等においては甚だ便利な記憶媒体になってきたが、逆にそれがあまりにも小さすぎることから、持ちにくい、紛失しやすい、分別管理保管しにくいなどの扱い上の問題点が起こりがちであった。本考案はかかる問題点を解決して扱い上の不便を無くし、更にその用途の拡大にも役立つような使い勝手の良い記憶媒体を提供することを課題とする。
【課題を解決するための手段】
【０００４】輪郭形状及び寸法をテレホンカードに近似させた薄板体１の表面又は内部に、輪郭形状及び寸法が郵便切手に近似した不揮発性半導体メモリ２を着脱可能状に装着して、本考案の切手型メモリを装着したカード状プレートとする。【０００５】ちなみにテレホンカードに近似した形状のものとして他に名刺やキャッシュカード等があることは言うまでもない。本考案の薄板体１の厚みはこのキャッシュカードにかなり近い程薄いことが望ましいが、様々な機能を持たせたり使い易くするために３ｍｍ厚位の箇所があっても構わない。【０００６】また通常の切手型の不揮発性半導体メモリ２の厚みも約１ｍｍ位しかないから、上記薄板体２の表面の一部に深さ１ｍｍ位の記憶媒体２が丁度収まる凹所を設けて、これに該記憶媒体２を収めて透明板（フィルム）で蓋をするなり強制嵌合するなりして、常識的常套手段により着脱可能状に装着すればよい。また該メモリ２はマスクＲＯＭ（読み取り専用）にして、映画、音楽、ゲームソフトなど、各種コンテンツを予め盛り込んだものにしても良い。【０００７】なお、本考案に用いられる薄板体１の適宜な箇所に（その形状を損なわない程度の）無線ＩＣタグ３を装備しておくと、一層用途が拡大して便利である。この無線ＩＣタグ（単にＩＣタグともいう）は近年急速に普及しつつあるもので、データを記憶し電波の送受信を行なうためのＩＣチップと、電波を受けたり送ったりするアンテナとから構成されているが、その大きさは既に１〜２ｍｍ角の薄片程度のものが十分な実用レベルに達している。従ってこれも薄板体１に全く常識的常套手段により埋め込み或いは積層するなどして装備すればよい。こうすることにより、高容量メモリを装着して付加価値の増大した当該カード状プレートの偽造を防止できるから、コンテンツ商品から遊技場用景品に至るまで、幅広い商品化が可能となる。
【考案の効果】
【０００８】本考案の切手型メモリを装着したカード状プレートは、キャッシュカードやテレホンカードと同様の寸法及び形状で携行や分類管理保管に甚だ好適であるから、高付加価値であるものの扱いにくく紛失しやすかったフラッシュメモリ等が広範な分野で商品化に適したものとなり、とりわけＩＣタグの装備により偽造防止が違和感なくでき高額商品化が可能であるなど、多大な効果がある。
【考案を実施するための最良の形態】
【０００９】テレホンカードやキャッシュカードと同様の輪郭で厚み約２．５ｍｍのプラスチック製薄板体１の片側寄り表面に規格化されたフラッシュメモリと略同形同寸法の凹所を設けてそこにＳＤカード（通称）等を収め、また同表面の別箇所にその数分の１程度の凹所とこれに収まる無線ＩＣタグ３を設け、その表面上に約０．２ｍｍ程度の透明フィルム板を貼着するなどして蓋にする。その透明フィルム板又は薄板体本体には必要に応じ装飾や説明用の印刷を施し、また薄板体１の表裏面に必要に応じ浅溝などの凹凸を設け、遊技場用景品やコンテンツ商品などとする。なお、本考案はかかる形態に限るものでないことは言うまでもない。
【産業上の利用可能性】
【００１０】既に述べたように、本考案の切手型メモリを装着したカード状プレートは甚だ使い勝手が良くてニーズが高く、製造も量産容易であるから、産業上の利用可能性は十分にある。
【図面の簡単な説明】
【００１１】
【図１】本考案一例の見取図
【符号の説明】
【００１２】  １……薄板体
２……不揮発性半導体メモリ
３……無線ＩＣタグ
【図１】
0003140265.tif 000003
(57)【要約】【課題】  音楽再生を目的としたスピーカーシステムの一部分として低音再生を受け持つスピーカー装置を、市販のスピーカーユニットを取り付けるだけで必要十分かつスムーズで自然な低音を再生するに十分長いホーン長と広いマウス面を持ち且つ一般家庭内で通常に使用可能な大きさの直方体箱に収まるフロントロードスピーカー箱を製作すること。【解決手段】  大きな断面積を持つスロートを採用し、直方体の箱の底面後面天板面の３面をすべて音道外壁とするこの字型のホーン形状を採用することにより直方体の箱形状としては最長のホーン長を確保し、また箱前面全体をホーン開口部とすることで最大のホーンマウス断面積を確保する。【選択図】図１
0003140270.tif 000002
【実用新案登録請求の範囲】
【請求項１】
音楽再生を目的とする、口径公称２０ｃｍから３８ｃｍのスピーカーユニットを使用し約３０−３，０００Ｈｚといった低音部分再生を受け持つスピーカーシステムとして、高さ１２０ｃｍ以下、幅８０ｃｍ以下、奥行６０ｃｍ以下のサイズの直方体の箱に４分の３円のこの字型に音道を設けホーンロードをかけることを特徴とする低音再生用フロントロードスピーカー箱
【考案の詳細な説明】
【技術分野】
【０００１】  本考案は音楽再生用のスピーカーシステムにおいて低音再生を受け持つスピーカーのための、限られたサイズの直方体内で、最大限のホーン長を確保し且つ最大のホーンマウス断面積を得るスピーカー箱の設計に関するものである。
【背景技術】
【０００２】  音楽再生を目的とするスピーカーシステムの中で低音部再生を受け持つスピーカーの形状としては、後面開放型、密閉箱型、バスレフ型、バックロードホーン型、ホーン長が４０ｃｍ以下のショートフロントロード型、などが従来型として使われている。しかし後面開放型、ショートフロントロード型ではスピーカー前面と後面から各々出てくる音波の内２００Ｈｚ以下の低音は前後で相殺されてしまい出づらくなる、密閉型、バックロードホーン型では箱の共振による箱鳴りが起きやすくなめらかでスムーズな低音再生は出来ない、また意図的に特定の周波数帯を強調して設計するバスレフ方式は自然な音楽再生が出来ない、という弱点があり低音再生装置としては不十分なものばかりであった。また、フロントロードの従来型は装置の奥行き或いは高さが巨大になり一般家庭用の音楽再生装置としては不向きであった。
【考案の開示】
【考案が解決しようとする課題】
【０００３】  ６畳間以上という一般家庭の一部屋に置くことができ、誰でも簡単に入手可能な市販の通称口径２０ｃｍから３８ｃｍのスピーカーユニットを取り付けるだけで、３０Ｈｚ台からというパイプオルガンなど通奏低音が自然で十分に再生できる低音再生用のフロントロード式スピーカー箱を作ること。
【課題を解決するための手段】
【０００４】  ３００ｃｍ２以上の断面積を持つスロートを採用し、且つ直方体の３面をすべて音道とするこの字型のホーン形状を採用することにより１４０ｃｍ以上のホーン長を確保し、同じく直方体の箱前面全体をホーン開口部とすることで４，４００ｃｍ２以上のホーンマウス断面積を確保することにより１００Ｈｚ近辺までロードがかかるフロントロード箱を設計した。１００Ｈｚ以下は理論上ロードがかかっていないものの箱と箱を設置している床面が音道の延長となることにより使用するスピーカーユニットの最低共振周波数近辺までの低音が再生可能となる。
【考案の効果】
【０００５】  上述のようにフロントロード方式を採用することにより３０Ｈｚ台より３，０００Ｈｚ位までの低音が従来方式のように３０−２００Ｈｚ近辺が減衰することなく、また特定の周波数帯が強調されることもなく自然にスムーズに再生することが出来た。また、６畳間程度の一般家庭の狭いスペースに設置することも出来るようになった。
【考案を実施するための最良の形態】
【０００６】  スピーカーユニットを直方体のスピーカー箱の最下部に下向きに取り付け、底面、後面、天板を各々音道の外壁として使用し、前面全体をマウスとする。また、前面部の音道は均一にロードがかかるカーブ曲面をもったホーン形状とする。スピーカーユニットは公称２０ｃｍから３８ｃｍまでの大きさのものを使用する。
【実施例】
【０００７】  本スピーカー箱およびユニットを低音用として使用し、中高音部は別途高音再生専用のツィーター、中音再生専用のスコーカーを別途用意して組み合わせる。低音、中音、高音各々の再生周波数帯の分割はネットワークを別途用意して行う。使用するスピーカーユニットの特性に応じて低音用と高音用の二つの装置で全体を再生する２ウェイ方式としたり、さらに中音用を加えて３ウェイ方式、或いはさらに周波数帯域を細かく分割して４ウェイ、５ウェイとして音楽全体を再生する装置を組み上げる。
【図面の簡単な説明】
【０００８】
【図１】  側面よりみた断面図で、スピーカーユニットは下部に設けられたユニット取り付け用バッフル板に固定される。スピーカーの音はスロートより底板に向かって進み、さらに底板−背面板−天板をおのおの音道の壁としてロードをかけられながら進み箱前面部全体をホーンマウス開口部として空気中に放出される。
【符号の説明】
【０００９】  １  フロントロードスピーカー箱の側面
２  スピーカーユニットを取り付けるためのバッフル板
３  スピーカーから出た音を音道に放出するスロート部
４  スピーカー背面より出る音を遮断するとともにホーンとなる遮断板
５  スピーカー背面より出る音を遮断するとともに曲線部のホーンとなる遮断板
６  ホーン開口部となるマウス、箱前面全体が開口部となる
７  ホーンの音道の内壁
８  ホーンの音道の内壁
９  ホーンの音道の内壁
１０  スピーカーユニット
【図１】
0003140270.tif 000003
(57)【要約】【課題】  有底容器・竹炭・中板・植物栽培用用土にて構成され、マンションなどの土地を有していない場所でも植物栽培を容易にする保水型エコプランターユニットを提供する。【解決手段】  有底容器と、底部に入れる竹炭と、植物栽培用用土がネット状の中板を介して構成され、容器側面に排水孔を設けることにより、余剰水分を排出することを特徴とする保水型エコプランターユニット。【選択図】図１
0003140268.tif 000002
【実用新案登録請求の範囲】
【請求項１】
有底容器と、底部に入れる竹炭と、植物栽培用用土がネット状の中板を介して構成され、有底容器側面に排水孔を設けることにより、余剰水分を排出することを特徴とする保水型エコプランターユニット。
【請求項２】
有底容器の竹炭上面あるいは側面位置に排水孔を設けたことを特徴とする請求項１記載の保水型エコプランターユニット。
【請求項３】
植物栽培用用土内に、竹炭を入れるになることを特徴とする請求項１または２記載の保水型エコプランターユニット。
【考案の詳細な説明】
【技術分野】
【０００１】  本考案は、土地を有しないマンションなどで、植物栽培を容易にする保水型エコプランターユニットに関するものである。
【背景技術】
【０００２】  従来の技術としては、植物栽培用の土壌収容空間が形成され、下方から前記土壌収容空間内に水分を取り込むことができるように、底面が多孔面状により構成され、この多孔面状部を支持するように棒状体が当該多孔面状部の下面側に設けられた第１の容器と、上面が開口し、前記第１の容器の下に重ねて配置される貯水用の第２の容器と、この第２の容器に充填される粒状体と、を備え、前記第１の容器の棒状体が第２の容器の側壁に支持されることにより、第１の容器の側壁と第２の容器の側壁との間に隙間が形成され、第２の容器の上限の水面レベルが前記多孔面状部の下方側に隙間を介して位置することを特徴とするプランタユニットがある。（特許文献１参照）
【特許文献１】  特許第３４４２７６２号
【考案の開示】
【考案が解決しようとする課題】
【０００３】  上記従来技術は、上下二段のユニットであり、コスト的にも高く、植え替え等手間がかかるものである。【０００４】  本考案は、このような従来の構成が有していた問題を解決しようとするものであり、有底容器・竹炭・中板・植物栽培用用土にて構成され、マンションなどの土地を有していない場所でも植物栽培を容易にする保水型エコプランターユニットを提供することを目的とする。
【課題を解決するための手段】
【０００５】  本考案は、上記目的を達成するため、有底容器と、底部に入れる竹炭と、植物栽培用用土がネット状の中板を介して構成され、容器側面に排水孔を設けることにより、余剰水分を排出する。
また、有底容器の竹炭上面あるいは側面位置に排水孔を設けた。
さらに、植物栽培用用土内に竹炭を入れる。
【考案の効果】
【０００６】１）、本考案は、有底容器、竹炭、中板、植物栽培用用土にて構成され、竹炭と植物栽培用用土は中板を介して仕切られている。このことにより植物栽培用用土の入れ替えが竹炭に混入することなく行える。
２）、底部に入れた竹炭に水分を保有することにより、水やり頻度を減少させ、あわせて用土に適度な湿度を保つことで、植物の栽培を容易にした。
３）、土地を有しないマンションなどでの水分不足は、植物を枯らすもととなる。
４）、竹炭上面の位置に排出孔を設けることで、余剰の水分を排出し根ぐされを防止する。
５）、底部の竹炭に保有された水分は、用土表面の乾燥により放出され、日常の水やり頻度を減少、マンションなどの土地を有しない場所でも植物栽培を容易にする。
６）、底部に入れた竹炭に保有される水分や液肥により植物の育成を促進する。
７）、植物栽培用用土内に、竹炭を入れることにより土壌含水率が高くなる。
【考案の実施するための最良の形態】
【０００７】  １は、保水型エコプランターユニットである。
２は、上方を開口している有底容器である。
３は、上記有底容器２の底部に敷き詰めてなる竹炭である。
４は、上記竹炭３の上面に設けてなるネット状の中板である。
５は、上記中板４の上方に設けてなる植物栽培用用土（竹炭を入れても良い）である。
６は、有底容器２において、竹炭３上面（側面）の側面位置に設けてなる排水孔であり、必要に応じて２箇所以上設けてもよい。
【０００８】  上記保水型エコプランターユニット１の使用例について述べる。
例えば、ベランダ（図示せず）に保水型エコプランターユニット１を置き、植物栽培用用土５内に所要の植物Ｓを植える。
その後、上方より水Ｍをやり、植物Ｓを育てる。
なお、竹炭３内の水Ｍ１の量が多くなったとき、排水孔６より外へ排水することにより、根ぐされを防止するものである。
【図面の簡単な説明】
【０００９】
【図１】  本考案の保水型エコプランターユニットの一実施例を示す縦断正面図。
【図２】  本考案の保水型エコプランターユニットの一実施例を示す使用状態図。
【符号の説明】
【００１０】１―――保水型エコプランターユニット
２―――有底容器
３―――竹炭
４―――中板
５―――植物栽培用用土
６―――排水孔
Ｓ―――植物
Ｍ―――水
【図１】
0003140268.tif 000003
【図２】
0003140268.tif 000004
(57)【要約】      （修正有）【課題】ねまきの各部分を繋ぐ部分のファスナー部分から患者の体に付いている計器類を外すことなくねまきを介助者の手も借りることなく患者自身で取り替えられることを可能にし又、ねまきの各部分のいずれかが汚れてしまっても各パーツづつの交換が容易に行えるので常に清潔に保て、大変衛生的である医療用ねまきを提供する。【解決手段】ねまき前本体ａ、ねまき前本体ｂとねまき後本体ａ、ねまき後本体ｂの４パーツ形態で構成され、それぞれをファスナーによって接続し、交換が容易に行える。毎回ねまき交換時、ファスナーを設けることで計器類や導尿管の配線を外すことなくねまき交換が行え、計器類や導尿管も患者の邪魔にならない好きな位置に固定できる。【選択図】図１
0003140233.tif 000002
【実用新案登録請求の範囲】
【請求項１】
ねまき本体の左右肩部、左右脇腹、股下部分にファスナーを設けることで、患者の体に付けていなくてはならない計測装置を装着したまま着替えらることを特徴とする医療用ねまき。
【請求項２】
ねまき本体の腰部にファスナーを設けることで、さらに上半身部、下半身部に分割することができ部分的にねまき本体が汚れてしまっても汚れたパーツのみの交換できることを特徴とする請求項１記載の医療用ねまき。
【考案の詳細な説明】
【技術分野】
【０００１】本考案は，体に何んらかの計測装置や器材を付けていなくてはならない患者が、計測装置や器材の装着を気にせず着替えを容易に行えるねまきに関する。
【背景技術】
【０００２】従来のねまきは、体に何んらかの計測装置や器材を付けて生活しなくてはならない患者を対象に作られた物ではなく、健丈者用に作られた物なのでねまきの着替えるときには計測装置や器材を安定した位置に置くことが出来ず一旦、計測装置や器材を外さなくてはならず時には生命の危機に関わることもあるので介添え者の手助けが必要だった。
【考案の開示】
【考案が解決しよううとする課題】
【０００３】いままでのねまきは、健丈者用に制作されているので体に計測装置や器材、導尿袋を四六時中装着しなくてはならない患者には、ねまきの着替え時に毎回計器類を外さなくてはならずそのつど生命の危機にさらされてしまったのでそれを防ぐためには、新しいねまきを切ってその部分から計測装置の配線、導尿管を出したり、配線、管の邪魔にならぬようにねまきをずらして使用していたので見た目も悪く、そのつどねまきを切ってしまうので経済的な負担が大きく、当然、患者の着替えの回数が減りたいへん不衛生になった。この欠点を解決しょうとするものである。
【課題を解決するための手段】
【０００４】本考案は、ねまき本体の左右肩部、左右脇腹部、股下部分、腰部にファスナーを設けることで患者自身が、介添え者の手を借りることなく計測装置や器材を装着したままで容易に着替えを行え、配線部位がファスナーにより安定しているので寝返りや着替え時による計測装置の誤作動、計器類の配線の断線、脱落を防ぎ、患者一人でも容易に着替えることができるので患者の体を常に清潔に保つことで問題点を解決している。
【考案の効果】
【０００５】上述の様に、本考案のあんねまきは、左右肩部、左右脇腹部、股下部分、腰部にファスナーを設けたので患者一人でも計測装置や器材、導尿管を外すことなく従来品より早く着替えを行なえるので患者の肉体的負担も軽減することができ、配線部位がファスナーにより安定しているので寝返りや着替え時による計測装置の誤作動、計器類の配線の断線、脱落を防ぎ患者の精神的負担も軽減でき安心して睡眠できるねまきである。また着替えが楽に行えるので患者の体を常に清潔に保つことができ衛生面の向上がみこめる。
【考案の実施するための最良の形態】
【０００６】ねまき本体の左右肩部、左右脇腹部、股下部分、腰部にねまき前本体、後本体接続部にファスナーを配置することで着替え時間の短縮、配線や導尿管を所定の場所に配置でき、これにより患者の精神的、肉体的負担を軽減できる。前本体、後本体の４パーツ形態なので従来品の様にねまきが汚れてしまった場合すべて交換することなく汚れた側の１パーツのみの交換ができるようになっているので衛生面の向上も望むことができる。
【実施例】
【０００７】以下、添付図面に従って一実施例を説明する。１は耐久性、抗菌性等適宜素材にて形成された、ねまき前本体ａと２，ねまき前本体ｂの間にそれを接続する為の５，ファスナーを設ける、３はその後部に配置した１と同じ素材のねまき後本体ａ、と４、ねまき後本体ｂの間にそれを接続する為の５、ファスナーをもうけることでその腰部、両肩部、股下部分に１，２，３，４を接続する５，ファスナーを装着する。計器類を繋ぐ配線や導尿管の位置が安定するためと１，２，３，４を接続する、１ねまき前本体の中心下部にポケットを設けその開口部に、６マジックテープを装着する。
【図面の簡単な説明】
【０００８】
【図１】  本考案のあんねまきの背面図
【図２】  本考案の実施例を示す平面図
【符号の説明】
【０００９】    １，ねまき前本体ａ
２，ねまき前本体ｂ
３，ねまき後本体ａ
４，ねまき後本体ｂ
５，ファスナー
６，マジックテープ
【図１】
0003140233.tif 000003
【図２】
0003140233.tif 000004
【手続補正書】
【提出日】平成19年8月27日(2007.8.27)
【手続補正１】
【補正対象書類名】明細書
【補正対象項目名】０００７
【補正方法】変更
【補正の内容】
【０００７】以下、送付図面に従って一実施例を説明する。１は耐久性、抗菌性等適宜素材にて形成された、ねまき前本体ａと２，ねまき前本体ｂの間にそれを接続する為の５，ファスナーを設ける、３はその後部に配置した１と同じ素材のねまき後本体ａ、と４、ねまき後本体ｂの間にそれを接続する為の５、ファスナーを設けることでその腰部、両肩部、股下部分に１，２，３，４を接続する５，ファスナーを装着する。計器類を繋ぐ配線や導尿管の位置が安定するためと１，２，３，４を接続する、１ねまき前本体の中心下部にポケットを設けその開口部に、６接着脱着自由布を装着する。
【手続補正２】
【補正対象書類名】明細書
【補正対象項目名】０００９
【補正方法】変更
【補正の内容】
【０００９】１，ねまき前本体ａ
２，ねまき前本体ｂ
３，ねまき後本体ａ
４，ねまき後本体ｂ
５，ファスナー
６，接着脱着自由布
【手続補正書】
【提出日】平成19年12月6日(2007.12.6)
【手続補正１】
【補正対象書類名】図面
【補正対象項目名】図１
【補正方法】変更
【補正の内容】
【図１】
0003140233.tif 000005
(57)【要約】      （修正有）【課題】腕時計をスタンドに装着脱着する度に時計ベルトを開け締めする手間の解消。また、腕時計をテーブルクロックとして使用する際の文字盤の視認性、デザイン性の向上等。【解決手段】帯状板材を内角約５５度に折り曲げてできた傾斜面２に、腕時計のベルト部は入るが、文字盤ケース部は落ち込まないサイズの長方形の開口部３を設け、そこに腕時計のベルト部を入れるだけで容易に保持できる形状にすることにより、この課題を解消する。帯状板材より複数作製する場合、板材の廃棄量が極力少なくなる形状である。【選択図】図１
0003140236.tif 000002
【実用新案登録請求の範囲】
【請求項１】
金属等の帯状板材を内角約５５度に折り曲げ、傾斜面に腕時計のベルト部は入るが、文字盤ケース部は落ち込まないサイズの長方形の開口部を設けた腕時計スタンド。複数作製する場合、板材の廃棄量が極力少なくなる形状をしている。
【考案の詳細な説明】
【技術分野】
【０００１】  本考案は腕時計を一時保管すること、あるいはテーブルクロックとして使用することを目的とするスタンドに関する。
【背景技術】
【０００２】  従来のスタンドでは、腕時計をセットした際の視認性やデザイン性、及びセットし易さよりも保管や陳列を目的としていた。それ故、セットする際ベルトを輪状に締め直す必要があった。あるいは正面からもベルト部が見えていた。
【考案の開示】
【考案が解決しようとする課題】
【０００３】  しかし、これでは腕時計をスタンドに装着脱着する度にベルトを開け締めする手間がかかる。また、スタンドにセットした際、正面からもベルトが見えるのでテーブルクロックとしては視認性やデザイン性が良くない。
【課題を解決するための手段】
【０００４】  そこで、帯状板材を内角約５５度に折り曲げ、傾斜面に腕時計のベルト部は入るが文字盤ケース部は落ち込まないサイズの長方形の開口部を設け、腕時計を腕から外したらベルトはそのままの状態でセットできるようなスタンドを考案した（図１）。なお、文字盤ケース部が開口部からずり落ちないように、開口部下部に小さな突起をつけた。スタンドに腕時計をセットすると、正面から見えるのは文字盤ケース部だけになる。
【考案の効果】
【０００５】  よって、本考案のスタンドにより、腕時計を腕から外しスタンドにセットする際にベルトを締め直す必要がなくなる。腕につける際もベルトを開く必要がない。装着脱着時の手間が省ける。また、腕時計をスタンドにセットした際、正面から見えるのは文字盤ケース部だけなので視認性が良く、ベルト部が見えない為すっきりとしてデザイン性も良い。ただ一時保管の為に掛けているというイメージではなくなるので、テーブルクロックとして違和感なく使用できる。また、複数作製するため帯状板材から連続して切り抜く際、板材の廃棄量が極力少なくなる形状である（図２）。
【考案を実施するための最良の形態】
【０００６】  本考案に係る腕時計スタンドは、図１に示すように、接地面１と傾斜面２、腕時計のベルト部が入る開口部３、及び文字盤ケースがずり落ちることを防止するための下支え突起４からなる。作製においては、図２の実線で囲まれた部分を切り出すようにすれば、複数を無駄なく切り出すことができる。除去部分は斜線部のみである。接地面１と傾斜面２は破線５の位置で折り曲げる。折り曲げ角度は、テーブルクロックとして使用する際の視認性と安定感を考慮し、内角５５度程度が良い。また文字盤ケースを下から支える突起４は、破線６の位置を折り曲げて作る。折り曲げ角度は傾斜面２に対して約９０度が良い。腕時計のベルト部を入れる長方形の開口部３のサイズは、ベルトの幅と文字盤ケースの大きさによって決まる。素材は、腕時計本体の疵防止の為、金属であればアルミニウム、銅、黄銅など比較的硬度の低いものが良い。板材の厚みは、強度や見栄えを考慮して任意に決める。
【図面の簡単な説明】
【０００７】
【図１】  本考案に係る腕時計スタンドの等角投影図である。
【図２】  帯状板材から本考案に係るスタンドを複数作製する際の、配置図である。
【符号の説明】
【０００８】  １      接地面
２      傾斜面
３      開口部
４      下支え突起
５      折り曲げ線（接地面と傾斜面の境界）
６      折り曲げ線（下支え突起）
【図１】
0003140236.tif 000003
【図２】
0003140236.tif 000004
【手続補正書】
【提出日】平成19年11月20日(2007.11.20)
【手続補正１】
【補正対象書類名】実用新案登録請求の範囲
【補正対象項目名】全文
【補正方法】変更
【補正の内容】
【実用新案登録請求の範囲】
【請求項１】
複数作製する場合を考慮し、板材の廃棄量が極力少なくなる形状に切り出した金属等の帯状板材を内角約５５度に折り曲げ、傾斜面に腕時計のベルト部は入るが、文字盤ケース部は落ち込まないサイズの長方形の開口部を設けた腕時計スタンド。
(57)【要約】【課題】  ベランダがコンクリート壁で、その上に丸鉄棒の手すりの付いている所で布団を干した時、外気の汚れの付着しているコンクリート壁の汚れが布団に付着するのを防ぎ、コンクリート壁と布団との間に空間を設ける事で通気性が増す、布団の通気と汚れ防止具を提供する。【解決手段】  丸鉄棒手すり（６）にフック付きステン丸棒（１）をひっかけ補強材ステン丸棒（２）の先に、すべり止めゴムキャップ（５）を装着したもの２つを間隔調整ターンバックル（４）で、調整、締め付けて固定し、使用することを特徴とする。【選択図】図１
0003140232.tif 000002
【実用新案登録請求の範囲】
【請求項１】
外気の汚れが付着しているベランダのコンクリート壁で布団を干した時、布団に汚れが付着するのを防ぎ、壁と布団の間に空間を設ける事で通気性がより良くなることを特徴とする布団干し具。
【考案の詳細な説明】
【技術分野】
【０００１】  本考案は、ベランダのコンクリート壁で布団を干す時に使用する布団干し具に関するものである。
【背景技術】
【０００２】  特許文献１には平ベルトで材質はゴム製を用い、コの字型突起物が等間隔に着いている布団干し具があった（特許文献１参照）。
【特許文献１】特開２００１−１１３０９３
【考案の開示】
【考案が解決しようとする課題】
【０００３】  それには、次のような問題点があった。
（イ）布団干しする時、布団を取込む時、常に防止具も取付け取外しの作業があった。
（ロ）材質がゴム製なので変質、変色の可能性があり、耐久性に問題があった。
（ハ）常に手入れが必要であった。
（二）防止具、自体の重量、大きさに難があった。
本考案は、これらの問題点を解決するためになされたものである。
【課題を解決するための手段】
【０００４】  変質、変色に強く耐久性に富むステンレス丸棒を材料として使用し、構造を枠型にする事で布団との接触面を最小にして、コンクリート壁の上に付いている手すり鉄棒にフック型に作製した２つ１組とする具をひっかけ、間隔調整ターンバックルで締め付け固定させる、以上を特徴とする布団の風通しと汚れ防止具である。
【考案の効果】
【０００５】  ステンレスを材質としたことにより変質、変色を防ぎ、具を固定する事で取付け、取外しの作業を除き、ステンレス丸棒の枠型とした事で布団との接触面も少なくなり枠型にフックを設けすべり止めゴムキャップを装着させ、具とコンクリート壁との間に空間を作ったことで風通しも良くなった。
【考案の実施するための最良の形態】
【０００６】  以下、本考案の実施の形態について説明する。
ベランダがコンクリート壁（７）で、その上に丸鉄棒手すり（６）が付いているベランダで使用し、手すりにひっかけフック付き丸棒（１）を取付け、更に、間隔調整ターンバックル（４）で締め付ける事で防止具の落下を防ぎ、固定する事で取付け取外しの手間を省く。
【実施例】
【０００７】  本考案は以上のような構造で、これを使用する時には、コンクリート壁の上に付いている丸鉄棒手すり（６）にひっかけフック付きステン丸棒（１）をひっかけ間隔調整ターンバックル（４）ですべり止めゴムキャップ（５）がコンクリート壁（７）に接する迄、調整、固定して風通しと汚れを防止することが出来る。
【図面の簡単な説明】
【０００８】
【図１】  本考案の断面図
【図２】  本考案を斜視図
【符号の説明】
【０００９】  １  ひっかけフック付きステン丸棒
２  補強材ステン丸棒
３  ネジ切り込みステンフック丸棒
４  間隔調整ターンバックル
５  すべり止めゴムキャップ
６  丸鉄棒手すり
７  ベランダコンクリート壁
【図１】
0003140232.tif 000003
【図２】
0003140232.tif 000004
【手続補正書】
【提出日】平成19年7月23日(2007.7.23)
【手続補正１】
【補正対象書類名】実用新案登録請求の範囲
【補正対象項目名】全文
【補正方法】変更
【補正の内容】
【実用新案登録請求の範囲】
【請求項１】
ステン丸棒の先端をフック形にして更に先の方を４５度に曲げた物２本を作成し、上部と下部に先端をＬ字形に曲げた補強材を横に２本流して、接続し枠形に作成した２個を１組として使用。フック形にした部分をコンクリート壁手摺り付きベランダの鉄製手摺りに左右からフックを引っ掛けて、ぶれ止め落下防止用としてタンバックル２個を枠形の前後に取り付け、締め付け固定。補強材Ｌ字形丸棒先端に滑り止め用ゴムキャップを取り付け、Ｌ字形補強材の先端部分の長さ分だけ布団とコンクリート壁に隙間が生じ、それがコンクリート壁との接触を防ぎコンクリート壁に付いている汚れが布団に付着するのを防止し通気性も増す布団の通気と汚れ防止具。
【手続補正書】
【提出日】平成19年12月11日(2007.12.11)
【手続補正１】
【補正対象書類名】実用新案登録請求の範囲
【補正対象項目名】全文
【補正方法】変更
【補正の内容】
【実用新案登録請求の範囲】
【請求項１】
ステン丸棒の先を４５°に曲げその先端をフック型に作成した２本の上下に、コの字型の補強材を取り付け連結した枠型２組を作成し、ベランダの鉄製手摺りの外側と内側にフックを掛けた時のブレ止め落下防止用としてタンバックルで枠型の左右各々を締め付け固定し、布団干しをした時ベランダコンクリート壁と布団の間に空間が出来るようにした布団の通気と汚れ防止具。
(57)【要約】      （修正有）【課題】波圧低減効果のある標識灯シンカーを提供する。【解決手段】標識灯の土台となるコンクリートで作られたシンカーに穴を開け、波圧を減少させる。シンカーに開けられる穴の形状は、円柱とし、四方に開けるものとする。この減圧孔により侵食が減り、標識灯が傾倒されにくくなる。【選択図】図２
0003140831.tif 000002
【実用新案登録請求の範囲】
【請求項１】
海中および海岸線に設置する標識灯の土台であるシンカーの四方に孔を設け、波圧を削減し、砂の侵食を減らす仕組みをもったシンカー
【考案の詳細な説明】
【技術分野】
【０００１】
本考案は、波圧低減を考慮した標識灯シンカーに関するものである。
【背景技術】
【０００２】
護岸近辺および海中には、船に航路を知らせるための標識灯がある。標識灯は、耐久性が高い素材を利用し、長期間の使用に耐えるようにしている。その標識灯を設置するために、土台としてコンクリートのシンカーを標識灯の錘として利用している。
波により、シンカー下の砂の侵食があり、標識灯が傾く。
【非特許文献１】合田良實著「港湾構造物の耐波設計」鹿島出版
【考案の開示】
【考案が解決しようとする課題】
【０００３】
護岸近辺および海中に設置する標識灯は、常時、波による圧力がかかる。その波によるシンカー下の侵食があり、標識灯が傾倒する。
【課題を解決するための手段】
【０００４】
本考案は、コンクリートで作られたシンカーに穴を開け、波圧を削減させる。穴の形状は、円柱とし、四方に穴を開けるものとする。
【考案の効果】
【０００５】
波浪条件下で、この機構により圧力は、減少した。また、標識灯のシンカーの砂の侵食が少なくなった。
【考案を実施するための最良の形態】
【０００６】
護岸付近に設置される標識灯である。設置面は、砂か砂利であり、波による侵食がある。このシンカーを利用した標識灯は、波が来ても、減圧孔により、侵食が起きないため、標識灯が傾倒されない。
【実施例】
【０００７】
以下、添付図面に従って一実施例を説明する。１は、耐久性のある素材にて形成された標識灯であり、２は、それを支えるコンクリートのシンカーである。３は、波圧を削減するための孔である。シンカーを砂及び砂利の上に設置し、海からの波により、１の標識灯が動かないようにする。波は、シンカーにあたるが３の減圧孔により低減される。
【図面の簡単な説明】
【０００８】
【図１】標識灯とシンカーの一実施例を示す正面図
【図２】シンカーの上面図
【符号の説明】
【０００９】
１  標識灯
２  シンカー
３  減圧孔
４  吊筋
【図１】
0003140831.tif 000003
【図２】
0003140831.tif 000004